(57)【要約】【目的】動画のシーンに応じた携帯端末の制御を，その携帯端末の機能に合わせる。【構成】携帯端末から要求された動画のシーンごとに，その携帯端末を制御する端末制御情報が仮に決定される（ステップ54）。携帯端末の端末機種情報が読み取られる（ステップ55）。仮に決定された端末制御情報のうち携帯端末が動作不可能な制御をする携帯端末情報については削除され，携帯端末が動作可能な制御をする携帯端末情報が動画ファイルのヘッダ情報に記録される（ステップ56でＹＥＳ，ステップ57）。携帯端末情報がヘッダに記録されている動画ファイルが携帯端末に送信される（ステップ58）。携帯端末情報にもとづいて，携帯端末において，動画のシーンに対応した振動などの制御が行われる。携帯端末が動作不可能な制御をする端末制御情報は動画ファイルのヘッダに記録されていないので，携帯端末のエラー動作などを未然に防止できる。【選択図】図７
2009055391.tif 000002
【特許請求の範囲】
【請求項１】
携帯型端末装置から送信された動画ファイルの要求コマンドを受信する要求コマンド受信手段，
上記要求コマンド受信手段において受信した要求コマンドによって要求された動画ファイルにより表わされる動画に含まれるシーンを判別するシーン判別手段，
シーンごとにあらかじめ定められており，携帯型端末装置をシーンに応じて制御する第１の端末制御情報のうち，上記シーン判別手段によって判別されたシーンに対応する端末制御情報にもとづく動作が，動画ファイルの要求コマンドを送信した携帯型端末装置において可能か不可能かを判定する判定手段，
上記判定手段によって可能と判定されたことに応じて，上記シーン判別手段によって判別されたシーンに対応する端末制御情報を，上記要求コマンドによって要求された動画ファイルに関連づける制御情報関連付け手段，および
上記制御情報関連付け手段によって制御情報が関連付けられた動画ファイルを，動画ファイルの要求コマンドを送信した携帯型端末装置に送信する動画ファイル送信手段，
を備えた動画送信装置。
【請求項２】
上記制御情報関連付け手段は，
上記判定手段によって不可能と判定されたことに応じて，上記第１の端末制御情報の代替制御情報である第２の端末制御情報を，上記要求コマンド受信手段において受信した要求コマンドによって要求された動画ファイルに関連づけるものである，
請求項１に記載の動画送信装置。
【請求項３】
要求コマンド受信手段が，携帯型端末装置から送信された動画ファイルの要求コマンドを受信し，
シーン判別手段が，上記要求コマンド受信手段において受信した要求コマンドによって要求された動画ファイルにより表わされる動画に含まれるシーンを判別し，
判定手段が，シーンごとにあらかじめ定められており，携帯型端末装置をシーンに応じて制御する第１の端末制御情報のうち，上記シーン判別手段によって判別されたシーンに対応する端末制御情報にもとづく動作が，動画ファイルの要求コマンドを送信した携帯型端末装置において可能か不可能かを判定し，
制御情報関連付け手段が，上記判定手段によって可能と判定されたことに応じて，上記シーン判別手段によって判別されたシーンに対応する端末制御情報を，上記要求コマンドによって要求された動画ファイルに関連づけ，
動画ファイル送信手段が，上記制御情報関連付け手段によって制御情報が関連付けられた動画ファイルを，動画ファイルの要求コマンドを送信した携帯型端末装置に送信する，
動画送信装置の動作制御方法。
【発明の詳細な説明】
【技術分野】
【０００１】
この発明は，動画送信装置およびその動作制御方法に関する。
【背景技術】
【０００２】
携帯電話などの携帯型端末装置に動画ファイルを送信し，その動画ファイルによって表わされる動画を表示することができる。携帯電話などでは表示画面が小さく，スピーカから出力される音声も大きくできないことが多いので，迫力，臨場感あふれる動画を得ることはできない。このために，携帯電話のバイブレータ部の振動状態およびイルミネーション部の表示状態の少なくとも一方を制御する制御情報をコンテンツに付加するもの（特許文献１），アニメーション再生時にアニメーションの内容に応じてバイブレータ機能またはイルミネーション機能の少なくとも一方を機能させるもの（特許文献２）がある。
【特許文献１】特開2002-33802号公報
【特許文献２】特開2003-304309号公報
【０００３】
しかしながら，制御情報をコンテンツに付加することもバイブレータ機能による振動のタイミングを設定することもイルミネーション機能による発光タイミングを設定することもオペレータが手動で行うものである。
【０００４】
また，動画のシーンを自動的に判別するものもある（特許文献３，４）。
【特許文献３】特開平8-191411号公報
【特許文献４】特開2003-32544号公報
【０００５】
しかしながら，動画を再生する携帯型端末装置の機能に合わせて携帯型端末装置のバイブレータ機能，イルミネーション機能などを制御することは考えられていない。
【発明の開示】
【０００６】
この発明は，携帯型端末装置の機能に合わせて携帯型端末装置を制御することを目的とする。
【０００７】
この発明による動画送信装置は，携帯型端末装置から送信された動画ファイルの要求コマンドを受信する要求コマンド受信手段，上記要求コマンド受信手段において受信した要求コマンドによって要求された動画ファイルにより表わされる動画に含まれるシーンを判別するシーン判別手段，シーンごとにあらかじめ定められており，携帯型端末装置をシーンに応じて制御する第１の端末制御情報のうち，上記シーン判別手段によって判別されたシーンに対応する端末制御情報にもとづく動作が，動画ファイルの要求コマンドを送信した携帯型端末装置において可能か不可能かを判定する判定手段，上記判定手段によって可能と判定されたことに応じて，上記シーン判別手段によって判別されたシーンに対応する端末制御情報を，上記要求コマンドによって要求された動画ファイルに関連づける制御情報関連付け手段，および上記制御情報関連付け手段によって制御情報が関連付けられた動画ファイルを，動画ファイルの要求コマンドを送信した携帯型端末装置に送信する動画ファイル送信手段を備えていることを特徴とする。
【０００８】
この発明は，上記動画送信装置に適した動作制御方法も提供している。すなわち，この方法は，要求コマンド受信手段が，携帯型端末装置から送信された動画ファイルの要求コマンドを受信し，シーン判別手段が，上記要求コマンド受信手段において受信した要求コマンドによって要求された動画ファイルにより表わされる動画に含まれるシーンを判別し，判定手段が，シーンごとにあらかじめ定められており，携帯型端末装置をシーンに応じて制御する第１の端末制御情報のうち，上記シーン判別手段によって判別されたシーンに対応する端末制御情報にもとづく動作が，動画ファイルの要求コマンドを送信した携帯型端末装置において可能か不可能かを判定し，制御情報関連付け手段が，上記判定手段によって可能と判定されたことに応じて，上記シーン判別手段によって判別されたシーンに対応する端末制御情報を，上記要求コマンドによって要求された動画ファイルに関連づけ，動画ファイル送信手段が，上記制御情報関連付け手段によって制御情報が関連付けられた動画ファイルを，動画ファイルの要求コマンドを送信した携帯型端末装置に送信するものである。
【０００９】
この発明によると，携帯型端末装置から送信された動画ファイルの要求コマンドが受信される。すると，その受信した要求コマンドによって要求される動画ファイルにより表わされる動画に含まれるシーンが判別される。携帯型端末装置をシーンに応じて制御する第１の端末制御情報があらかじめ定められており，その第１の端末制御情報のうち，判別されたシーンに対応する制御情報にもとづく動作が，要求コマンドを送信した携帯型端末装置において可能か不可能かが判定される。可能と判定された場合には，シーン判別手段によって判別されたシーンに対応する端末制御情報が，要求された動画ファイルに関連付けられる。端末制御情報が関連付けられた動画ファイルが，動画送信装置から携帯型端末装置に送信される。携帯型端末装置においては，その動画ファイルによって表わされる動画が再生される。さらに，動画ファイルに関連付けられている制御情報にしたがって，動画のシーンにあった動作が制御される。動画ファイルに関連付けられている制御情報は，携帯型端末装置が動作可能なものであるので，不可能な動作を制御する制御情報が動画ファイルに関連付けられることにより生じうる携帯型端末装置の誤動作を未然に防止できる。
【００１０】
上記制御情報関連付け手段は，たとえば，上記判定手段によって不可能と判定されたことに応じて，上記第１の端末制御情報の代替制御情報である第２の端末制御情報を，上記要求コマンド受信手段において受信した要求コマンドによって要求された動画ファイルに関連づけるものである。
【実施例】
【００１１】
図１は，この発明の実施例を示すもので，動画送信システムの概要を示している。
【００１２】
動画送信システムには，動画送信サーバ（動画送信装置）３が含まれている。動画送信サーバ３は，さまざまな携帯端末（携帯電話，ＰＤＡ：personal digital assitantsなど）１，２などと相互に通信可能である。図１においては，二台の携帯端末１，２が図示されているが，さらに多くの携帯端末と通信可能であるのはいうまでもない。
【００１３】
動画送信サーバ３には，動画送信サーバ３と通信できる携帯端末の機能を表す端末機能情報テーブル（図４参照）を格納している端末情報データベース４および多くの動画ファイルを格納している動画ファイル・データベース５が接続されている。
【００１４】
この実施例においては，携帯端末１または２から動画送信サーバ３に動画ファイルが要求されると，その要求された動画ファイルによって表される動画の各シーンの内容（激しいシーンか，穏やかなシーンかなど）が判定される。シーンごとに，その携帯端末１または２を制御する端末制御情報が決定される。動画ファイルを要求した携帯端末１または２が，決定された端末制御情報にもとづく制御を行うことができるかどうかが判定される。決定された端末制御情報にもとづく制御を行うことができれば，その決定された端末制御情報がその動画のシーンに対応して動画ファイルのヘッダに格納される。決定された端末制御情報にもとづく制御を行うことができなければ，その決定された端末制御情報はその動画のシーンに対応付けられない。携帯端末１または２は，端末制御情報にもとづいてシーンごとに，シーンに応じた制御が行われる。携帯端末１または２が動作不可能な端末制御情報は動画ファイルに付加されないので，動作不可能な端末制御情報が動画ファイルに付加された場合に生じることがあるエラー動作を未然に防止できる。
【００１５】
図２は，動画送信サーバ３の電気的構成を示すブロック図である。
【００１６】
動画送信サーバ３の全体の動作は，ＣＰＵ10によって統括される。
【００１７】
ＣＰＵ10には，携帯端末１，２などと通信するための通信インターフェイス11，表示装置12，メモリ13，ハードディスク15にアクセスするためのハードディスク・ドライブ14およびコンパクト・ディスク（図示略）にアクセスするためのＣＤドライブ16が接続されている。また，ＣＰＵ10には，キーボードなどの入力装置17ならびに端末情報データベース４および動画ファイル・データベース５と接続するための入出力インターフェイス18および19も接続されている。
【００１８】
図３は，端末制御情報テーブルの一例である。
【００１９】
端末制御情報テーブルには，動画のシーンごとに携帯端末を制御する端末制御情報が格納されている。シーンが激しい場合にはその激しさの程度に応じて振動を変える端末制御情報が格納されている。たとえば，振動Ａ，Ｂ，Ｃの順に振動の程度が弱くなる。シーンが激しいほど，振動の程度が強くなる。穏やかなシーンの場合にはその穏やかさの程度に応じてイルミネーションを変える端末制御情報が格納されている。シーンが穏やかなほど緩やかな点滅のイルミネーションとなる。たとえば，イルミネーションＡ，Ｂ，Ｃの順に点滅の間隔が長くなる。
【００２０】
このような端末制御テーブルは，動画送信サーバ３のハードディスク15に格納されている。
【００２１】
図４は，端末情報データベース４に格納されている端末機種情報テーブルの一例である。
【００２２】
端末機種情報テーブルには，携帯端末の機能が機種ごとに格納されている。この実施例においては携帯端末の機能は振動機能とイルミネーション機能とが規定されているが，その他の機能が設定されていてもよいのはいうまでもない。携帯端末の機種ごとに振動機能があるか，イルミネーション機能があるが記憶されている。たとえば，機種Ａの携帯端末であれば，振動Ａ〜Ｉの種類の振動およびイルミネーションＡ〜Ｃまでの種類のイルミネーションの点滅が可能な機能を有している。これに対して，機種Ｂの携帯端末であれば，振動Ａ〜Ｉの種類の振動は可能であるが，イルミネーションＡ〜Ｃまでの種類のイルミネーションの点滅は不可能である。また，機種Ｃの携帯端末であれば，振動Ａ〜Ｃの振動の種類の機能は有していないが，振動Ｄ〜Ｆの振動の種類の機能は有しており，イルミネーションＡ〜Ｃまでの種類のイルミネーションの点滅が可能な機能を有している。
【００２３】
図５は，携帯端末１の正面図である。
【００２４】
携帯端末１の上半分のほぼ全体には，表示画面23が形成されている。この表示画面23の上部の中央部にはスピーカ22が設けられており，表示画面23の上部の左側には着信ランプ21が設けられている。
【００２５】
携帯端末１の下半分のほぼ全体には，１から０までの数字，アスタリスク記号，およびシャープ記号が記載されているテン・キーパッド24が設けられている。このテン・キーパッド24は点滅自在である。携帯端末１の下部の中央にはマイクロフォン25が設けられている。
【００２６】
図６は，携帯端末１の電気的構成を示すブロック図である。
【００２７】
携帯端末１の全体の動作は，ＣＰＵ32によって統括される。
【００２８】
携帯端末１には，上述した表示画面23を有する表示装置31，メモリ33，上述したマイクロフォン25，スピーカ22，入力装置（テン・キーパッド24を含む）36，撮像装置37，無線装置38，駆動装置39，上述した着信ランプ21およびテン・キーパッドを点滅させる照明装置40および電源装置41が含まれている。
【００２９】
図７は，動画送信サーバ３の処理手順を示すフローチャートである。
【００３０】
携帯端末において動画送信サーバ３に要求する動画ファイルが決定される。携帯端末から動画送信サーバ３に決定された動画ファイルの要求コマンドが送信される。携帯端末から送信された動画ファイルの要求コマンドが受信されると（ステップ51），その要求コマンドに応じた動画ファイルが動画ファイル・データベース５から読み出される（ステップ52）。読み出された動画ファイルによって表わされる動画のシーンが判別される（ステップ53）。
【００３１】
図８（Ａ）は動画の各シーンの内容を示し，図８（Ｂ）〜（Ｄ）は動画の各シーンでの端末制御情報を示している。
【００３２】
図８（Ａ）を参照して，動画が複数のシーンに分けられる。所定の時間または所定の複数駒ごとに複数のシーンに分割してもよいし，動画の動きベクトルなどを算出して，異なるシーンと考えられる複数のシーンに分割してもよい。それぞれのシーンごとにシーン内容が判別される。たとえば，シーン２は動きがすごく激しいシーンであり，シーン３は少し激しい新であり，シーン（ｎ−１）はすごく穏やかなシーンであり，シーンｎは激しいシーンであり，シーン（ｎ＋１）は穏やかなシーンである。これらのシーン判別は，公知のものを利用できるのはいうまでもない。
【００３３】
シーン内容が分かると，それぞれのシーンの内容に応じた端末制御情報が，あらかじめ定められている端末制御情報テーブル（図３参照）にしたがって仮に決定される。図８（Ｂ）を参照して，シーン２はすごく激しいシーンであるから，シーン２はすごく激しいシーンに対応した振動Ａが端末制御情報として仮に決定される。同様に，シーン３は振動Ｃに，シーン（ｎ−１）はイルミネーションＡに，シーンｎは振動Ｂに，シーン（ｎ＋１）はイルミネーションＢにそれぞれ仮に決定される。その他のシーンについても同様である。
【００３４】
上述したように，携帯端末の機種によっては仮に決定した端末制御情報による制御動作ができないことがある。その場合には，仮に決定した端末制御情報のうち動作できない制御情報は削除される。
【００３５】
機種Ａの携帯端末は，振動Ａ，振動Ｂ，振動Ｃ，イルミネーションＡ，イルミネーションＢのすべての動作が可能である。すると，機種Ａの携帯端末から動画ファイルの要求があった場合には，図８（Ｂ）に示したように仮に決定した端末制御情報が，図８（Ｃ）に示すように，機種Ａの携帯端末の端末制御情報として決定する。
【００３６】
これに対して，機種Ｂの携帯端末は，振動Ａ，振動Ｂ，振動Ｃの機能を有しているが，イルミネーションＡ，イルミネーションＢ，イルミネーションＣの機能は有していない。すると，図８（Ｄ）に示すように，機種Ｂの携帯端末から動画ファイルの要求があった場合には，イルミネーションが端末制御情報として決定されるシーンについては端末制御情報が削除される｛シーン（ｎ−１），シーン（ｎ＋１）に対応する端末制御情報を参照｝。機種Ｂの携帯端末は振動Ａ，振動Ｂ，振動Ｃの機能を有しているので，シーン２，シーン３，シーンｎについては仮に決定した端末制御情報がそのまま機種Ｂの端末制御情報として決定する。
【００３７】
図７に戻って，上述したようにシーンごとに端末制御情報が仮に決定される（ステップ54）。動画ファイルを要求した携帯端末の端末機能情報が端末機能情報テーブルから読み取られる（ステップ55）。すると，仮決定した端末制御情報のうち，動画ファイルを要求した携帯端末が動作不可能な制御を行わせる端末制御情報があるかどうかが確認される（ステップ56）。
【００３８】
仮決定した端末制御情報に，動画ファイルを要求した携帯端末が動作不可能な制御を行わせる端末制御情報が含まれている場合には（ステップ56でＹＥＳ），その不可能な制御を行わせる端末制御情報は削除されて携帯端末が動作可能な制御をする端末制御情報が動画ファイルのヘッダに記録される（ステップ57）。仮決定した端末制御情報に，動画ファイルを要求した携帯端末が動作不可能な制御を行わせる端末制御情報が含まれていない場合には（ステップ56でＮＯ），仮決定したすべての端末制御情報が動画ファイルのヘッダに記録される（ステップ58）。このようにしてヘッダに端末制御情報が記録された動画ファイルが携帯端末に送信される（ステップ59）。
【００３９】
図９は，動画ファイルのファイル構造（データ構造）を示している。
【００４０】
動画ファイルには，ヘッダ記録領域61と動画データ記録領域62とが含まれている。
【００４１】
ヘッダ記録領域61には，動画ファイルの管理情報などのヘッダ情報が記録される。とくに，この実施例においては上述したように，端末制御情報もヘッダ記録領域61に記録される。端末制御情報は，上述したように，シーンごとに携帯端末の動作を制御する情報である。動画データ記録領域62には，動画データが記録される。
【００４２】
このような動画ファイルが携帯端末において受信されることにより，その動画ファイルの動画データ記録領域に記録されている動画データによって表わされる動画が携帯端末の表示画面に表示される。また，動画ファイルのヘッダ記録領域に記録されている端末制御情報にしたがって，シーンごとにそのシーンに対応した動作が行われるようになる。たとえば，図８（Ｂ）に示したように機種Ａの携帯端末の場合には，シーン２では振動Ｂにもとづく振動動作が行われ，シーン３では振動Ｃにもとづく振動動作が行われ，シーン（ｎ−１）ではイルミネーションＡにもとづく着信ランプ21の点滅が行われ，シーンｎでは振動Ｂにもとづく動作が行われ，シーン（ｎ＋１）ではイルミネーションＤにもとづく間隔の点滅動作が行われるようになる。携帯端末の機能に応じて臨場感あふれる動画の再生を行うことができる。イルミネーションの点滅は着信ランプ21の点滅に限らず，図５の破線で示すようにテン・キーパッド24の数字順にもとづく点滅でもよい。
【００４３】
図10から図12は，他の実施例を示すものである。
【００４４】
上述した実施例においては，動画ファイルを要求した携帯端末が，仮に決定した端末制御情報にもとづく動作を行うことができない場合には，その端末制御情報を削除しているが，この実施例においては，仮に決定した端末制御情報にもとづく動作を行うことができない場合には，他の端末制御情報（代替端末制御情報）に変更するものである。
【００４５】
図10は，端末制御情報テーブルの一例であり，図３に対応している。
【００４６】
端末制御情報テーブルには，シーンに応じて第１の端末制御情報と第２の端末制御情報とが格納されている。第１の端末制御情報は，図３に示した端末制御情報と同じである。第２の端末制御情報は，シーンに応じて決定された第１の端末制御情報にもとづく動作を携帯端末が行うことができない場合に変更される代替端末制御情報である。
【００４７】
第１の端末制御情報における振動Ａ，振動Ｂ，および振動Ｃの代替端末制御情報は振動Ｄ，振動Ｅ，および振動Ｆである。動画ファイルを要求した携帯端末が振動Ａ，振動Ｂ，または振動Ｃの動作を行うことができない場合には，振動Ａ，振動Ｂまたは振動Ｃの代わりに振動Ｄ，振動Ｅまたは振動Ｆの動作を行うように第２の端末制御情報が動画ファイルのヘッダに記録される。同様に，動画ファイルを要求した携帯端末がイルミネーションＡ，イルミネーションＢおよびイルミネーションＣの動作を行うことができない場合には，イルミネーションＡ，イルミネーションＢまたはイルミネーションＣの代わりに振動Ｇ，振動Ｈまたは振動Ｉの動作を行うように第２の端末制御情報が動画ファイルのヘッダに記録される。
【００４８】
図11は，動画送信サーバの処理手順を示すフローチャートである。この図において図７に示す処理と同一の処理については同一符号を付して説明を省略する。
【００４９】
上述のように，動画のシーンが判別され（ステップ53），そのシーンに対応した端末制御情報が第１の端末制御情報の中から仮に決定される（ステップ54Ａ）。仮に決定した端末制御情報の中から動画ファイルを要求した携帯端末が動作不可能な制御をする端末制御情報がある場合には（ステップ56でＹＥＳ），その動作不可能な端末制御情報が第２の端末制御情報に書き換えられる。書き換えられた端末制御情報が動画ファイルのヘッダに記録される（ステップ57Ａ）。
【００５０】
図12（Ａ）〜（Ｄ）は，図８（Ａ）〜（Ｄ）に対応するもので，図12（Ａ）は，動画のシーンを示すもので，図12（Ｂ）〜（Ｄ）は，端末制御情報を示している。
【００５１】
図12（Ａ）および図12（Ｂ）を参照して，シーン（ｎ−１）はすごく穏やかなシーンであり，シーン（ｎ＋１）は穏やかなシーンなので，仮に決定された端末制御情報は，シーン（ｎ−１）はイルミネーションＡであり，シーン（ｎ＋１）はイルミネーションＢである。
【００５２】
図12（Ｄ）を参照して，機種Ｂの携帯端末では，イルミネーションＡ〜Ｃの動作を行うことができないので，イルミネーションＡ〜Ｃの代わりに振動Ｇ〜Ｉが代替端末制御情報として規定されている。このために，シーン（ｎ−１）では振動Ｇとなるように，シーン（ｎ＋１）では振動Ｈとなるように端末制御情報が決定する。振動Ｇ〜Ｉは穏やかなシーンでの端末制御情報であるイルミネーションＡ〜Ｃの代わりのものであるから，比較的穏やかな振動となるように携帯端末を制御させるものであるのはいうまでもない。
【図面の簡単な説明】
【００５３】
【図１】動画送信システムの概要を示している。
【図２】動画送信サーバの電気的構成を示すブロック図である。
【図３】端末制御情報テーブルの一例である。
【図４】端末機能情報テーブルの一例である。
【図５】携帯端末の正面図の一例である。
【図６】携帯端末の電気的構成を示すブロック図である。
【図７】動画送信サーバの処理手順を示すフローチャートである。
【図８】（Ａ）は動画のシーンを示し，（Ｂ）〜（Ｄ）はシーンに対応した端末制御情報を示している。
【図９】動画ファイルのファイル構造を示している。
【図１０】端末制御情報テーブルの一例である。
【図１１】動画送信サーバの処理手順を示すフローチャートである。
【図１２】（Ａ）は動画のシーンを示し，（Ｂ）〜（Ｄ）はシーンに対応した端末制御情報を示している。
【符号の説明】
【００５４】
１，２  携帯端末
３  動画送信サーバ
10，32  ＣＰＵ
11  通信インターフェイス
【図１】
2009055391.tif 000003
【図２】
2009055391.tif 000004
【図３】
2009055391.tif 000005
【図４】
2009055391.tif 000006
【図５】
2009055391.tif 000007
【図６】
2009055391.tif 000008
【図７】
2009055391.tif 000009
【図８】
2009055391.tif 000010
【図９】
2009055391.tif 000011
【図１０】
2009055391.tif 000012
【図１１】
2009055391.tif 000013
【図１２】
2009055391.tif 000014